(57)【特許請求の範囲】
【請求項１】
既設のコンクリート構造物の表面を取付面としてそこに鉄筋を固定するためのアンカーであって、
取付面に形成された取付孔に挿入されて固定されるアンカー本体と、該アンカー本体の基端部に螺着されるナット部材と、該ナット部材の螺着により前記鉄筋を保持して前記取付面に対して挟持するワッシャからなり、
前記アンカー本体は、その基端部に前記ナット部材を螺着するためのネジ部が形成されているとともにその先端部には外径寸法が先端にかけて漸次拡大するクサビ部が形成され、かつ該アンカー本体の先端部には先端側に相対変位することで前記クサビ部により拡径されて前記取付孔の内面に食い込むスリーブ状の拡径部材が装着され、
前記ナット部材は、該ナット部材が前記アンカー本体の基端部に螺着されることで前記ワッシャを鉄筋に対して押し付ける頭部と、該頭部と一体に形成されていて前記アンカー本体を補強しかつ前記鉄筋に当接してその位置を拘束するスリーブ部を有し、
前記ワッシャは、鉄筋を保持可能な形状に湾曲しかつ前記アンカー本体のスリーブ部が緩挿されるルーズホールを有してなることを特徴とするアンカー。
【請求項２】
前記ナット部材の前記スリーブ部の先端部には先端側が窄まるようにテーパ部が形成されていることを特徴とする請求項１記載のアンカー。
【請求項３】
前記ワッシャの外形輪郭は小判形とされていることを特徴とする請求項１または２記載のアンカー。
【請求項４】
前記アンカー本体には、前記取付面と前記鉄筋との間に介装されるスペーサが装着可能とされていることを特徴とする請求項１，２または３記載のアンカー。
【請求項５】
前記ナット部材の頭部には、鉄筋を埋設するように打設される増し打ちコンクリートの表面の位置を表示するためのゲージが螺着可能とされていることを特徴とする請求項１，２，３または４記載のアンカー。
【発明の詳細な説明】
【０００１】
【発明の属する技術分野】
本発明は、既設のコンクリート構造物の表面に補強ないし補修用の鉄筋を固定するためのアンカーに関する。
【０００２】
【従来の技術】
既設のコンクリート構造物に対する補強や補修を目的としてその表面にコンクリートを増し打ちするに際しては、まず鉄筋をアンカーにより固定することが通常である。そのような場合、従来一般には図４に示すような格子鉄筋１、すなわち縦横の鉄筋１ａ，１ｂを予め溶接あるいは緊結して格子状に一体化した鉄筋を用い、その交差部をアンカー２により取付面３に対して固定することが通常である。
【０００３】
【発明が解決しようとする課題】
ところで、上記の場合に採用される従来のアンカー２は取付面３に対して打ち込んで固定されるものであり、したがってこれを打ち込むに当たっては大きな打込力が必要であるので、そのような大きな打込力により補強ないし補修対象のコンクリートに対してひび割れ等の重大な損傷を与えてしまう懸念があった。また、従来においては格子鉄筋１を取付面３に対して密着させた状態で固定しており、したがって増し打ちされるコンクリートが格子鉄筋１の廻りに十分に充填されない場合があった。
【０００５】
【課題を解決するための手段】
上記事情に鑑み、請求項１の発明は、既設のコンクリート構造物の表面を取付面としてそこに鉄筋を固定するためのアンカーであって、取付面に形成された取付孔に挿入されて固定されるアンカー本体と、該アンカー本体の基端部に螺着されるナット部材と、該ナット部材の螺着により前記鉄筋を保持して前記取付面に対して挟持するワッシャからなり、前記アンカー本体は、その基端部に前記ナット部材を螺着するためのネジ部が形成されているとともにその先端部には外径寸法が先端にかけて漸次拡大するクサビ部が形成され、かつ該アンカー本体の先端部には先端側に相対変位することで前記クサビ部により拡径されて前記取付孔の内面に食い込むスリーブ状の拡径部材が装着され、前記ナット部材は、該ナット部材が前記アンカー本体の基端部に螺着されることで前記ワッシャを鉄筋に対して押し付ける頭部と、該頭部と一体に形成されていて前記アンカー本体を補強しかつ前記鉄筋に当接してその位置を拘束するスリーブ部を有し、前記ワッシャは、鉄筋を保持可能な形状に湾曲しかつ前記アンカー本体のスリーブ部が緩挿されるルーズホールを有してなるものである。
【０００６】
請求項２の発明は、前記ナット部材の前記スリーブ部の先端部に先端側が窄まるようにテーパ部を形成したものである。
【０００７】
請求項３の発明は、前記ワッシャの外形輪郭を小判形としたものである。
【０００８】
請求項４の発明は、前記取付面と前記鉄筋との間に介装されるスペーサを前記アンカー本体に装着可能としたものである。
【０００９】
請求項５の発明は、前記ナット部材の頭部に、鉄筋を埋設するように後打ちされる後打ちコンクリートの表面の位置を表示するためのゲージを螺着可能としたものである。
【００１０】
【発明の実施の形態】
以下、本発明の一実施形態を説明する。図１は本実施形態のアンカー１１の組立図、図２および図３はそのアンカー１１を用いて格子鉄筋１を固定した状態を示す平面図および断面図である。
【００１１】
本実施形態のアンカー１１は、取付面３に形成される取付孔５に挿入されてそこに固定される棒状のアンカー本体１２と、その基端部にねじ込まれるナット部材１３と、格子鉄筋１を保持するためのワッシャ１４からなる。
【００１２】
アンカー本体１２は、その基端部に上記ナット部材１３がねじ込まれるネジ１５が形成されているとともに、先端部には外径寸法が先端にかけて漸次拡大するクサビ部１６が形成されており、かつそこには先端側に相対変位することでクサビ部１６により拡径されて取付孔５の内面に食い込むスリーブ状の拡径部材１７が装着されているものである。
【００１３】
ナット部材１３は、六角形状の頭部１８と、その下面側に一体に形成されたスリーブ部１９とからなり、そのスリーブ部１９の先端部には先端側が窄まるようなテーパ部２０が形成されている。
【００１４】
ワッシャ１４は外形輪郭が小判形をなすとともに湾曲しており、その中心孔はナット部材１３のスリーブ部１９が緩挿するルーズホール２１となっていて、図３に示すようにこのワッシャ１４の一端側を格子鉄筋１の上側の鉄筋１ａに引っかけた状態でナット部材１３を締め付けることにより、ナット部材１３がワッシャ１４を介して格子鉄筋１を取付面３に対して押圧して強固に保持固定できるものとなっている。
【００１５】
また、本実施形態の固定構造では、上記のアンカー１１を用いて格子鉄筋１を固定するに際して、図１に示すようなスペーサ２２を用いることで格子鉄筋１を取付面３上に浮かせた状態で固定する。スペーサ２２は所望の厚みの金属板からなるもので、先端部が三角形状に形成され基部にはアンカー本体１２に装着するための溝２３を有するものである。
【００１６】
上記のアンカー１１およびスペーサ２２を用いて格子鉄筋１を固定するには、取付面３にアンカー本体１２と略同径の取付孔５を形成し、そこにアンカー本体１２を挿入するとともに、その頭部にワッシャ１４を装着してナット部材１３を螺着し、格子鉄筋１の交差部の直下にはスペーサ２２の先端部を差し込んでその溝２３をアンカー本体１２に装着する。
【００１７】
そして、ナット部材１３をねじ込んでアンカー本体１２が若干引き上げられると、取付孔５内面に接している拡径部材１７がアンカー本体１２に対して相対的に引き下げられることになり、その結果、図３に示すように、クサビ部１６により拡径部材１７が拡径されて取付孔５の内面に食い込み、これによりアンカー本体１２は取付孔５内に強固に固定される。同時に、ナット部材１３のねじ込みによって格子鉄筋１はワッシャ１４を介して取付面３に対して押圧され、格子鉄筋１はスペーサ２２とワッシャ１４により挟持された状態で取付面３に対して強固に保持固定される。
【００１８】
以上のように、本実施形態ではねじ込み式のアンカー１１を採用したことで従来の打込による場合のように打込力により既設コンクリートに対して損傷を与えるような懸念は一切ないし、ナット部材１３のネジ込みにより取付孔５内において拡径部材１７がクサビ部１６により拡径されて確実に食い込むので従来の打込式のアンカーに勝る優れたアンカー強度を確保することができ、その作業も容易である。
【００１９】
また、格子鉄筋１をスペーサ２２により取付面３上に浮かせた状態で固定するので、スペーサ２２の厚みの設定により格子鉄筋１の位置決めを自由に行うことができるとともに、取付面３上に打設される増し打ちコンクリートを格子鉄筋１の裏側にまで確実に充填することができ、したがって格子鉄筋１を取付面３に単に密着させて固定する場合よりも補強効果を高めることができる。
【００２０】
また、上記のアンカー１１は、ナット部材１３に設けたスリーブ部１９によるアンカー本体１２に対する補強効果があり、かつそのスリーブ部１９が格子鉄筋１の交差部に当接してその位置を拘束する効果が得られるので、格子鉄筋１の位置ずれや変形を有効に防止できる効果がある。しかも、そのスリーブ部１９の先端部をテーパ部２０としているので、ナット部材１３にワッシャ１４を装着する際やナット部材１３をアンカー本体１２にねじ込む際にスリーブ部１９の先端がワッシャ１４や格子鉄筋１に引っかかり難く作業性に優れる利点がある。
【００２１】
さらに、ワッシャ１４の中心孔をルーズホール２１としてワッシャ１４がナット部材１３に対してずれる余地を持たせたので、ナット部材１３の締め付けによりワッシャ１４の一端側が格子鉄筋１に引っかかるように自ずとその位置がずれかつ傾いて格子鉄筋１を確実に保持することができるし、ワッシャ１４として小判形のものを採用したことでその寸法を必要最少限度としてワッシャ１４の裏側へのコンクリートの充填性が損なわれる懸念もない。
【００２２】
なお、図１に示すように、取付面３上に増し打ちされるコンクリートの表面の位置を表示するためのゲージ２５をナット部材１３の頭部に螺着することが考えられる。この場合、ゲージ２５の先端位置を取付面３の凹凸や不陸に応じて調節して、図３に示すようにそれが埋設されるまで増し打ちコンクリート２６を打設すれば、増し打ちコンクリート２６を自ずと平坦にかつ精度良く打設することが可能となる。
【００２３】
以上で本発明の実施形態を説明したが、本発明は上記実施形態に限定されるものではない。たとえば上記実施形態はスラブの上面に格子鉄筋を固定する場合に適用したが、本発明はスラブの下面や壁面を取付面とする場合にも同様に適用可能であるし、格子鉄筋に限らず鉄筋全般を固定する場合に同様に適用できるものであり、特にスラブ下面（天井面）に格子鉄筋を固定する場合に適用して最適である。また、アンカーの各部の寸法、形状は適宜の設計的変更が可能であり、特にワッシャやスペーサは固定するべき鉄筋の寸法や形態に応じて最適な寸法、形状に設定すれば良く、たとえばワッシャとしては小判形のみならず楕円形や長方形のものも好適に採用可能であるし、スペーサの形状も任意でありかつその素材を樹脂とすることも可能である。
【００２５】
【発明の効果】
請求項１の発明のアンカーは、ナット部材を締め付けることのみでアンカー本体の先端部に設けた拡径部材を取付孔内面に食い込ませることができるので、固定作業を簡単に行うことができるとともに優れた固定強度が確保できることはもとより、ナット部材に設けたスリーブ部によるアンカー本体に対する補強効果や鉄筋に対する拘束効果が得られ、またルーズホールを有する湾曲形のワッシャを用いるので、そのワッシャにより鉄筋を確実に保持することが可能である。
【００２６】
請求項２の発明のアンカーは、ナット部材のスリーブ部の先端にテーパ部を設けたので、このナット部材にワッシャを装着する際やナット部材をアンカー本体にねじ込む際にスリーブ部の先端がワッシャや鉄筋に引っかかり難く、作業性に優れる。
【００２７】
請求項３の発明のアンカーは、ワッシャの外形輪郭を小判形としたので、ワッシャの寸法を必要最小限とし得てその裏側へのコンクリートの充填性を損なう懸念がない。
【００２８】
請求項４の発明のアンカーは、鉄筋と取付面との間に介装するスペーサをアンカー本体に装着可能としたので、スペーサがずれたり脱落することがない。
【００２９】
請求項５の発明のアンカーは、ナット部材の頭部に増し打ちコンクリートの表面の位置を表示するゲージを装着可能としたので、そのゲージにより増し打ちコンクリートを平坦かつ精度良く打設することが可能である。
【図面の簡単な説明】
【図１】  本発明の実施形態であるアンカーの組立図である。
【図２】  本発明の実施形態である固定構造を示す平面図である。
【図３】  同、断面図である。
【図４】  従来一般の格子鉄筋の固定構造を示す図である。
【符号の説明】
１  格子鉄筋（鉄筋）
３  取付面
５  取付孔
１１  アンカー
１２  アンカー本体
１３  ナット部材
１４  ワッシャ
１５  ネジ
１６  クサビ部
１７  拡径部材
１８  頭部
１９  スリーブ部
２０  テーパ部
２１  ルーズホール
２２  スペーサ
２５  ゲージ
２６  増し打ちコンクリート
【図１】
0004227702.tif 000002
【図２】
0004227702.tif 000003
【図３】
0004227702.tif 000004
【図４】
0004227702.tif 000005